【手続補正書】
【提出日】平成18年4月21日(2006.4.21)
【手続補正１】
【補正対象書類名】特許請求の範囲
【補正対象項目名】請求項１
【補正方法】変更
【補正の内容】
【請求項１】
紙幣受入装置(１０)に着脱可能であり保留部（４２、３４２）に紙幣を積層して収納する紙幣収納ボックス(１６、３１６)、前記紙幣収納ボックス(１６、３１６)内に配置され、受け入れた紙幣を保留部(４２、３４２)に移動させる移動体(７６、３４４)、前記紙幣受入装置(１０)に配置され、正逆方向に回転可能な回転駆動装置(１１６、４４３)、前記紙幣収納ボックス(１６、３１６)に内蔵され、前記回転駆動装置(１１６、４４３)の回転運動を受けて前記移動体(７６、３４４)を往復運動させる駆動装置(７８、３４８)、前記移動体(７６、３４４)の待機位置を検知する待機位置検知装置(１２６、４６０)、前記移動体(７６、３４４)の移動位置を検知する移動位置検知装置(１７６、４８０)、前記待機位置検知装置(１２６、４６０)および前記移動位置検知装置(１７６、４８０)からの検知信号に基づいて前記回転駆動装置(１１６、４４３)の回転方向を切り替える制御装置(２１７)、を含む紙幣収納装置における紙幣移動装置。
【手続補正２】
【補正対象書類名】明細書
【補正対象項目名】００２３
【補正方法】変更
【補正の内容】
【００２３】
しかし、プーリ６８および７０間のタイミングベルト７４は、逃げることができるので、右上面６４に接触していてもよい。
これらタイミングベルト７４の下面と右上面６４と左上面６０で挟まれたエリアが紙幣移動通路７５である。
タイミングプーリ６８に相対して保留ボックス２２の上向き傾斜面５６に押さえローラ７７が配置され、その周面がタイミングベルト７４に弾性的に接触している。
【手続補正３】
【補正対象書類名】明細書
【補正対象項目名】００２６
【補正方法】変更
【補正の内容】
【００２６】
図３及び図4に示すように、平行移動装置８０は、移動体７６を所定ストロークで平行移動させる機能を有している。
平行移動装置８０は、同じ長さであって、中間を軸８２でピボット運動可能に一体化した第1リンク８４と第2リンク８６とを有している。
第1リンク８４の上端部に固定したピボット軸８８は、収納ユニットボックス２４の下面の軸受９０にピボット運動可能に支持され、その下端部の軸９２は、移動体７６の上面に固定した第１ガイド板９４の第１ガイド溝９６にスライド可能に挿入されている。
したがって、第１リンク８４は、揺動するレバである。
【手続補正４】
【補正対象書類名】明細書
【補正対象項目名】００２９
【補正方法】変更
【補正の内容】
【００２９】
ギヤ１１０は、ギヤ１１３および１１４を介して紙幣受入装置１０の回転駆動装置１１６であるギヤ１１８に駆動連結されている。
ギヤ１１０、１１３および１１４は、保留ボックス２２の側面に回転自在に取り付けられている。
【手続補正５】
【補正対象書類名】明細書
【補正対象項目名】００４２
【補正方法】変更
【補正の内容】
【００４２】
投導光体１９６の上端面が受光面２０４であり、下端の反射面２０６は受光面２０４の延長線に対して４５度の角度で傾斜しており、その側面が検知投光面２０８である。
受導光体１９８の上端面が投光面２１０であり、下端の反射面２１２は投光面２１０の延長線に対して４５度の角度で傾斜しており、その側面が検知受光面２１４である。
【手続補正６】
【補正対象書類名】明細書
【補正対象項目名】００４５
【補正方法】変更
【補正の内容】
【００４５】
次に制御装置２１７を図8を参照して説明する。
制御装置２１７は、押込信号Ｐ、待機位置検知装置１２６および移動位置検知装置１７６からの検知信号に基づいて駆動モータ１１９を正転または逆転制御する。
具体的には、マイクロプロセッサ等で構成される。
【手続補正７】
【補正対象書類名】明細書
【補正対象項目名】００４７
【補正方法】変更
【補正の内容】
【００４７】
駆動ギヤ１１２の回転により、回転駆動装置１１８を介して紙幣収納ボックス１６の変換駆動装置８１が駆動される。
すなわち、ギヤ１１４、１１３および１１０を介してセクタギヤ１０８が時計方向へピボット運動され、結果としてピボット軸８８が同方向へピボット運動する。
このピボット運動により、第1リンク８４が図4において時計方向にピボット運動するので、軸９２が第1ガイド溝９６を図３において左方へスライドする。
同様に軸８２を介して第2リンク８６が軸９８を支点に反時計方向へピボット運動するので、軸１０２が第２ガイド溝１０６を図３において左方へスライドする。
【手続補正８】
【補正対象書類名】明細書
【補正対象項目名】００４８
【補正方法】変更
【補正の内容】
【００４８】
結果として、移動体７６が紙幣移動通路７５を横断し、通路３２を通って紙幣保留部４２に平行移動する。
換言すれば、移動体７６は、待機位置ＳＢから下方へ平行に移動し、紙幣保留部４２内の図４に示す移動位置ＭＭへ移動する。
この過程で紙幣移動通路７５に位置する紙幣は、紙幣保留部４２に押し込まれる。前記軸１０２の移動により、移動検知片１８２が押込検知エリア２１６に進入した場合、発光素子１８８からの投射光は移動検知片１８２によって遮断されるため、受光素子１９２が受光しないので、押込検知装置１７６は移動位置信号を出力する。
【手続補正９】
【補正対象書類名】明細書
【補正対象項目名】００４９
【補正方法】変更
【補正の内容】
【００４９】
ステップＳ３において移動位置信号が判別された場合、ステップＳ４においてモータ１１９は停止され、次いでステップＳ５において逆転される。
すなわち、駆動ギヤ１１２が反時計方向に回転されるため、セクタギヤ１０８も同方向にピボット運動し、移動体７６は待機位置へ向かって移動する。
この移動により、待機検知片１３２は待機検知エリア１７４に進入し、検知投光面１６６からの光を遮断する。
これにより、受光素子１４２は受光しなくなるので、待機位置信号を出力する。ステップＳ６においてこの待機位置信号が判別されるとステップＳ7に進み、モータ１１９は停止される。
したがって、移動体７６は待機位置ＳＢに保持される。
【手続補正１０】
【補正対象書類名】明細書
【補正対象項目名】００６２
【補正方法】変更
【補正の内容】
【００６２】
第1保持部３８４は、スライダ部３８２に対し直角に折り曲げられ、ベース３
２６、換言すれば、引き入れられた紙幣とほぼ平行をなしている。
第1保持部３８４の下方に所定の間隔をもって樹脂で成形された板状の第2保持
部３８６がスライダ部３８２に固定されている。
第1保持部３８４の下面３８３、第2保持部３８６の上面３８５およびスライダ部３８２の側面３８７によって三方を囲まれ、所定の幅と高さを有する(図１３参照))左保持部３８８が構成されている。      
左保持部３８８の高さは、紙幣収納ボックス３１６を小型化するため、紙幣がスムーズに移動可能な範囲で可及的に薄いことが好ましい。
【手続補正１１】
【補正対象書類名】明細書
【補正対象項目名】０１０７
【補正方法】変更
【補正の内容】
【０１０７】
１０  紙幣受入装置
４２、３４２  保留部
１６、３１６  紙幣収納ボックス
７６、３４４  移動体
７８、３４８  駆動装置
８４  レバ
８８、４２８  ピボット軸
１０８、４３６  セクタギヤ
１１４、３７０、３７２、３６８  ギヤ
１１６、４４３  回転駆動装置
１２６、４６０  待機位置検知装置
１７６、４８０  移動位置検知装置
２１７  制御装置
４３０  揺動レバ  
【手続補正１２】
【補正対象書類名】図面
【補正対象項目名】図２
【補正方法】変更
【補正の内容】
【図２】
2004295868.tif 000001
【手続補正１３】
【補正対象書類名】図面
【補正対象項目名】図８
【補正方法】変更
【補正の内容】
【図８】
2004295868.tif 000002
【手続補正１４】
【補正対象書類名】図面
【補正対象項目名】図９
【補正方法】変更
【補正の内容】
【図９】
2004295868.tif 000003